(57)【特許請求の範囲】
【請求項１】
コネクタ本体に装着されるコネクタカバーに形成された舌片の押圧による弾性的変位で相手側コネクタに対するロックを解除するロック部材を備えたコネクタであって、
該舌片の逆押圧方向への変位規制手段を該コネクタ本体に一体的に設けたことを特徴とするコネクタ。
【請求項２】
請求項１記載の変位規制手段が、
コネクタカバーの舌片の先端表面側に設けた平坦域と、コネクタ本体の該平坦域対応位置に設けた該平坦域を外面で覆うフック付突起、とからなることを特徴とするコネクタ。
【請求項３】
請求項２記載の舌片が、
前記表面側に設けた平坦域を除く全面に凹凸を備えていることを特徴とするコネクタ。
【発明の詳細な説明】
【０００１】
【発明の属する技術分野】
本発明はコネクタカバーに設けた舌片の弾性的な押圧変位で相手側コネクタに対するロックが解除できるロック部材を備えたコネクタの構成に係わり、特に上記舌片の逆押圧方向の変位を規制して舌片としての変形や損傷を抑制して作業性と生産性の向上を図ったコネクタに関する。
【０００２】
【従来の技術】
図６は従来のコネクタを相手側コネクタと共に概略的に説明する図であり、図７は従来のコネクタの構成を組立方法を含めて説明する図である。
【０００３】
なお図ではコネクタが端子列一列のジャックコネクタである場合を例として説明する。
図６で（６−１）は相手側コネクタを示しまた（６−２）は本発明に係わるコネクタを示している。
【０００４】
図の（６−１）で相手側コネクタ１は、複数のプラグ端子１１１を一列に植設してなるプラグコネクタ本体１１と、該プラグコネクタ本体１１に装着される例えば金属板からなるガイド１２とからなる。
【０００５】
そしてこの場合の該ガイド１２は、上記プラグ端子１１１の配置領域をプラグコンタクト１１１ａの長さを越える高さで取り囲む周壁状に形成されおり、更に端子列方向片側壁面の列方向両端部近傍の２箇所にはロック孔１２ａが形成されている。
【０００６】
一方、該相手側コネクタ１に対応するコネクタ（図ではジャックコネクタ）２は、上記ガイド１２の内面での案内で該相手側コネクタ１に接続されるコネクタ本体２１と、該コネクタ本体２１に装着されるロック部材２２とコネクタカバー２３とで構成されている。
【０００７】
そしてロック部材２２は、該コネクタ２を上記相手側コネクタ１に接続させたときの該相手側コネクタ１の上記ロック孔１２ａと対応するそれぞれの位置に、該ロック孔１２ａに嵌入し得るフック２２ａが形成されてなるものである。
【０００８】
そして上記コネクタカバー２３に形成された舌片２３ａを押圧して変位させたときに、上記ロック部材２２のフック２２ａが降下して該フック２２ａと上記ロック孔１２ａとの係合が外れて両コネクタ１，２間のロックが解除されるようになっている。
【０００９】
本発明に係わるコネクタ２の構成を説明する図７で、（７−１）はコネクタ本体を、（７−２）はロック部材を、また（７−３）はコネクタカバーをそれぞれ示した図である。
【００１０】
図の（７−１）でコネクタ本体２１は、上記相手側コネクタ１の各プラグコンタクト１１１ａに接続するジャックコンタクトを備えた図示されないジャック端子が該各プラグコンタクトと一致するように絶縁体２１１の上記ガイド１２に挿入し得るスリーブ部２１１ａに植設されてなるものである。
【００１１】
そして、該絶縁体２１１の該スリーブ部両端の上記ロック孔１２ａと対応するそれぞれの稜線上には上記ロック部材２２の各フック２２ａとそれに繋がるフックアーム２２ｂとを位置させるためのフックアーム用切り欠け２１１ｂが形成され、また該絶縁体２１１の上記スリーブ部２１１ａから片面側への段差で厚くなる本体部２１１ｃは上記ロック部材２２の各フックアーム２２ｂに続く領域が位置決めして載置し得るようになっている。
【００１２】
更に、該本体部２１１ｃの上面２１１ｄのほぼ中央域には上記スリーブ部側が低くなるようなテーパ面２１１ｅが形成され、また該テーパ面２１１ｅのスリーブ側には該本体部２１１ｃの全幅にわたって端子列方向の溝２１１ｆが形成されているが、該テーパ面２１１ｅと溝２１１ｆは上記ロック部材２２に対応させるためのものである。
【００１３】
そして、上記フックアーム用切り欠け２１１ｂは該溝２１１ｆと繋がる位置まで形成されている。
あお該コネクタ本体２１には、上記図示されないジャック端子に繋がるケーブル２５が図示されない領域で接続された状態にある。
【００１４】
一方図の（７−２）で、金属板の折り曲げ成形で形成されるこの場合のロック部材２２は、上記コネクタ本体２１の絶縁体２１１における本体部２１１ｃの突出面２１１ｄに対応する大きさの主面２２ｃと、該主面２２ｃの上記スリーブ部側端辺から切り込んだ２個のスリット２２ｄで形成される舌片２２ｅとを備えてなるものであるが、該舌片２２ｅは上述したコネクタ本体２１における上記テーパ面２１１ｅの大きさより小さく形成されている。
【００１５】
そして該舌片２２ｅの上記スリーブ部側端辺の両側には、上記コネクタ本体２１における溝２１１ｆに入り得る幅で該コネクタ本体の幅方向に突出した後該コネクタ本体２１の上述したフックアーム用切り欠け２１１ｂに位置するように折り曲げ形成された前記フックアーム２２ｂが先端に前記フック２２ａを備えて形成されているものである。
【００１６】
また上記主面２２ｃの本体部２１１ｃにおけるケーブル導出側端面２１１ｇと対応する位置には、該端面２１１ｇに接する垂片２２ｆが図示されないケーブル通過用切り欠けを備えて形成されている。
【００１７】
そして該ロック部材２２は、その主面２２ｃの上記突出面２１１ｄへの載置でコネクタ本体２１に装着した状態では、上記舌片２２ｅが該コネクタ本体２１の上記テーパ面２１１ｅに対応して位置すると同時に、上記フック２２ａの位置が図５で説明した相手側コネクタ１におけるロック孔１２ａと対応して位置するようになっている。
【００１８】
このことは該ロック部部２２をコネクタ本体２１に装着した状態で、該ロック部部２２の舌片２２ｅを押下すると上記テーパ面２１１ｅに沿う該舌片２２ｅの弾性的変位で上記フック２２ａが降下し、また該押下を解除することでフック２２ａが元位置に戻ることを示している。
【００１９】
更に図の（７−３）で樹脂成形されてなるこの場合のコネクタカバー２３は、上記コネクタ本体２１に上記ロック部材２２を装着したときの該コネクタ本体２１における本体部２１１ｃの領域が丁度挿入し得る内法を持つ周壁部２３ａを少なくとも備えてなるものである。
【００２０】
そして、該周壁部２３ａのコネクタ本体厚さ方向片側（図では下側）の壁面には複数（図では２個）の位置決め孔２３ｂが形成され、該コネクタ本体２１に設けられた図示されない突起との嵌合で該コネクタ本体２１が位置決めして固定されるようになっている。
【００２１】
更に、該位置決め孔２３ｂで上記コネクタ本体２１を固定したときの上記ロック部材２２の舌片２２ｅと対応する領域には、周壁部端辺２３ｃから切り込まれた２個のスリット２３ｄによって形成される舌片２３ｅが設けられている。
【００２２】
従って、上記ロック部材２２が装着されたコネクタ本体２１を該コネクタカバー２３に位置決めして固定することで該コネクタカバー２３の舌片２３ｅとロック部材２２の舌片２２ｅとを合致させることができるが、このことはコネクタカバー２３の舌片２３ｅを押下することで上記フック２２ａが降下させられることを示している。
【００２３】
そこで、上記ロック部材２２を矢印Ａ1 の如く上記コネクタ本体２１に装着し、次いで該コネクタ本体２１をケーブル側から矢印Ｂ1 の如くコネクタカバー２３に挿入して該コネクタ本体２１をロック部材２２と共にくコネクタカバー２３に固定することで、図５で示したコネクタ２を構成することができる。
【００２４】
かかるコネクタ２では、コネクタカバー２３に設けた舌片２３ｅの押下だけで相手側コネクタ１に対するロックが解除できるメリットがある。
なお該コネクタ２を相手側コネクタ１に接続する場合には、上記ロック部材２２の舌片２２ｅのみの変位でロックが実現できるので特に上記舌片２３ｅを押下する必要がないことは明らかである。
【００２５】
【発明が解決しようとする課題】
しかし上述したコネクタ２では、コネクタカバーの舌片が表面に露出した状態にあるためコネクタとしての作業時や保管時に該舌片に逆押圧方向すなわち外側方向への外力がかかることがあり、場合によっては該舌片が変形したり損傷することがあると言う問題があった。
【００２６】
【課題を解決するための手段】
上記課題は、コネクタ本体に装着されるコネクタカバーに形成された舌片の押圧による弾性的変位で相手側コネクタに対するロックを解除するロック部材を備えたコネクタであって、該舌片の逆押圧方向への変位規制手段を該コネクタ本体に一体的に設けたコネクタによって解決される。
【００２７】
コネクタカバーの舌片先端の外側をフックで抑えると、該舌片の逆押圧方向すなわち外側への変位を抑制することができる。
そこで本発明では、コネクタカバーの舌片先端を外側から抑え得るフック付突起をコネクタ本体の絶縁体に形成して所要のコネクタを構成している。
【００２８】
従って、コネクタとしての作業時や保管時に該舌片に逆押圧方向への外力がかかっても舌片の変形や損傷が抑制できるコネクタを実現することができる。
【００２９】
【発明の実施の形態】
図１は本発明になるコネクタを概略的に説明する図であり、図２は本発明に係わるコネクタ本体を説明する図、図３は本発明に係わるコネクタカバーを説明する図、図４は本発明になるコネクタの構成を組立方法を含めて説明する図、図５は本発明に係わるコネクタカバーの応用例を説明する図である。
【００３０】
なお、図ではいずれも図６で説明したコネクタに適用させる場合を例としているので、図６、図７と同じ対象部材や部位には同一の記号を付すと共に重複する説明についてはそれを省略する。
【００３１】
図１で本発明になるコネクタ３は、本発明に係わるコネクタ本体３１と、該コネクタ本体３１に装着される図６で説明したロック部材２２と、本発明に係わるコネクタカバー３２とで構成されている。
【００３２】
ここで本発明を理解し易くするため、図２と図３で本発明に係わるコネクタ本体とコネクタカバーとを先に説明する。
コネクタ本体を説明する図２で、（２−１）は全体斜視図をまた（２−２）は矢印Ｃ方向からみた側面図である。
【００３３】
図２でコネクタ本体３１は、図６で説明したコネクタ本体２１の絶縁体２１１を、本発明に係わる絶縁体３１１に変えたものである。
すなわちこの場合の絶縁体３１１は，上記絶縁体２１１における溝２１１ｆで形成されるテーパ面前方の壁３１１ａのテーパ面２１１ｅ領域内の２箇所に、該壁３１１ａに沿って上方に突出した後テーパ面側に突出するフック３１１ｂ′を備えたフック付突起３１１ｂを追加形成したものである。
【００３４】
そしてこの場合のフック３１１ｂ′の該絶縁体３１１の突出面２１１ｄからの形成位置は、図６で説明したロック部材２２の厚さ“ｔ1 ”と後述するコネクタカバー３２の舌片の板厚“ｔ2 ”との和すなわち“ｔ1 ＋ｔ2 ”を僅かに越えるように設定されている。
【００３５】
一方図３でコネクタカバー３２は、図７で説明したコネクタカバー２３における舌片２３ｅのみを本発明に係わる舌片３２ａに変えたものである。
すなわちこの場合の舌片３２ａは、その先端の上記フック付突起３１１ｂひいてはフック３１１ｂ′と対応するそれぞれの領域に上記厚さ“ｔ2 ”の平坦域３２ｂを追加形成したものである。
【００３６】
そこで図４で示す如く、（４−１）で示す前述したロック部材２２を矢印Ａ2 のように（４−２）で示す上記コネクタ本体３１に装着し、次いで該コネクタ本体３１をケーブル側から矢印Ｂ2 のように（４−３）で示すコネクタカバー３２に挿入して該コネクタ本体３１をロック部材２２と共にくコネクタカバー３２に固定すると、コネクタ本体３１の上記フック３１１ｂ′がコネクタカバー３２の舌片３２ａの平坦域３２ｂ上に位置することから、所要のコネクタ３を図１に示すように構成することができる。
【００３７】
かかるコネクタ３では、表面に露出するコネクタカバー３２の舌片３２ａの先端が上記フック３１１ｂ′で覆われることとなる。
従って、コネクタカバーに設ける舌片の逆押圧方向の外力による変形や損傷が抑制できるコネクタを容易に実現することができる。
【００３８】
コネクタカバーとしての応用例を説明する図５でこの場合のコネクタカバー３３は、図３で説明したコネクタカバー３２の舌片３２ａを、上記平坦域３２ｂを除く舌片の全域に例えば図示の如き波形の凹凸３３ｂを形成した舌片３３ａに変えたものである。
【００３９】
そして図４で説明したコネクタカバー３２をかかるコネクタカバー３３に置き換えてコネクタを構成すると、舌片３２ａを押圧するときの指の滑りが上記凹凸３３ｂで抑制されるので、確実な押圧操作が実現できるメリットがある。
【００４０】
【発明の効果】
上述の如く本発明により、コネクタカバーに設ける舌片の逆押圧方向の変位を規制して舌片としての変形や損傷を抑制して作業性と生産性の向上を図ったコネクタを提供することができる。
【００４１】
なお本発明の説明では対象とするコネクタがジャックコネクタである場合を例としているが、本発明をプラグコネクタに適用させても同等の効果が得られることは明らかである。
【図面の簡単な説明】
【図１】  本発明になるコネクタを概略的に説明する図。
【図２】  本発明に係わるコネクタ本体を説明する図。
【図３】  本発明に係わるコネクタカバーを説明する図。
【図４】  本発明になるコネクタの構成を組立方法を含めて説明する図。
【図５】  本発明に係わるコネクタカバーの応用例を説明する図。
【図６】  従来のコネクタを相手側コネクタと共に概略的に説明する図。
【図７】  従来のコネクタの構成を組立方法を含めて説明する図。
である。
【符号の説明】
３          コネクタ
２２        ロック部材
３１        コネクタ本体
３２        コネクタカバー
３２ａ      舌片
３２ｂ      平坦域
２１１ｄ    突出面
２１１ｅ    テーパ面
２１１ｆ    溝
３１１      絶縁体
３１１ａ    壁
３１１ａ′  上面
３１１ｂ    フック付突起
３１１ｂ′  フック
【図１】
0003648007.tif 000002
【図２】
0003648007.tif 000003
【図３】
0003648007.tif 000004
【図４】
0003648007.tif 000005
【図５】
0003648007.tif 000006
【図６】
0003648007.tif 000007
【図７】
0003648007.tif 000008